(57)【要約】      （修正有）【課題】購買者の目や手が行き届き易くすることができるとともに、商品に対して容易に着脱可能であり、かつ、設置場所を取らないで済む広告宣伝媒体を提供する。【解決手段】固定部１に形成された係合部の舌片１１ａ、１１ｂをそれぞれ、複数のトイレットペーパーを包装した包装体５０の取っ手部５１に形成された穴５１ａ、５１ｂに挿入し、罫線４を山折りする。ディスプレイ部２に形成されたサンプル保持部の鉤状の突起部２２ａ及び２２ｂを、サンプルとして展示するトイレットペーパー６０の芯の空洞部分に通し、トイレットペーパーをサンプル保持部に取り付ける。トイレットペーパーがサンプル保持部に保持されると、トイレットペーパー６０及びディスプレイ部２の重みで固定部１が矢印方向に引っ張られ、係合部の舌片が穴に係合され、包装体に保持された状態となる。【選択図】図２
0003134951.tif 000002
【実用新案登録請求の範囲】
【請求項１】
商品を包装した包装体に保持するための広告宣伝媒体であって、
把持するために前記包装体に形成された穴部に係合する係合部を設け、
前記係合部と前記穴部とが係合することにより、前記包装体に保持された状態となることを特徴とする広告宣伝媒体。
【請求項２】
折り目として機能する罫線又はミシン目線を少なくとも１以上設けたことを特徴とする請求項１記載の広告宣伝媒体。
【請求項３】
前記折り目を補強するための補強部材を設けたことを特徴とする請求項２記載の広告宣伝媒体。
【請求項４】
前記商品のサンプルを保持するサンプル保持部を設けたことを特徴とする請求項１から３のいずれか１項に記載の広告宣伝媒体。
【請求項５】
前記係合部を２つ備え、
前記２つの係合部は、それぞれの幅が３０ｍｍであり、かつ、それぞれの中心部の間が５０〜６０ｍｍ離れて並設されていることを特徴とする請求項１から４のいずれか１項に記載の広告宣伝媒体。
【請求項６】
前記係合部は、三日月状の切り欠け部と、円弧状の舌片とからなることを特徴とする請求項１から５のいずれか１項に記載の広告宣伝媒体。
【請求項７】
前記サンプル保持部は、鉤状の突起部を２つ備え、
前記サンプルとしてロール状のペーパーを用いる場合、前記２つの鉤状の突起部を、前記ロール状のペーパーの芯の空洞部分に挿入することで保持することを特徴とする請求項４から６のいずれか１項に記載の広告宣伝媒体。
【考案の詳細な説明】
【技術分野】
【０００１】
本考案は、商品を広告宣伝するために店頭等に設置される広告宣伝媒体に関する。
【背景技術】
【０００２】
本考案に関連する広告宣伝媒体（ＰＯＰ（Point Of Purchase）広告）の例として、例えば、特許文献１には、表裏両面に広告を表示した表示板を揺動することにより、動きのある表示板が人目に付きやすく、取扱が簡単で、コスト的にも有利で、機構も簡単な「スイングポップ」が開示されている。
【０００３】
また、上記特許文献１以外の例として、例えば、以下のものがある。
〈従来例１〉
図１０（ａ）に示すように、一枚の厚紙等の裏面において、接着部材（両面テープ等）１４を備えた広告宣伝媒体がある。このような広告宣伝媒体は、図１０（ｂ）に示すように、上記接着部材１４を介して、商品等を陳列する陳列棚９０（あるいは商品自体）に固定部１を貼り付ける。
〈従来例２〉
図１１（ａ）に示すように、一枚の厚紙等において、２つの罫線３、４を備えた広告宣伝媒体がある。このような広告宣伝媒体は、図１１（ｂ）に示すように、罫線４を山折りし、罫線３を谷折りした上で、商品等を陳列する陳列棚９０上に設けられた、商品等が倒れ落ちることを防止するためのストッパ部材（止め具）９１の上に、山折りした部分をのせることにより固定する。なお、この従来例２は、例えば特許文献２に開示されている。
【特許文献１】実用新案登録第３１０９５２１号公報
【特許文献２】特開２００２−６７４２号公報
【考案の開示】
【考案が解決しようとする課題】
【０００４】
しかしながら、上記特許文献１のようなＰＯＰ広告は、設置場所を必要とするので、設置場所に余裕が無い場合、設置されなかったり、あるいは、十分に広告効果が見込める場所（商品近傍など）に設置されなかったりするという問題があった。
【０００５】
また、従来例１は、陳列棚９０あるいは商品自体に固定するために接着剤を必要とする。よって、広告宣伝媒体を取り外すときに、接着剤の剥離による傷や汚れが陳列棚９０（あるいは商品自体）につきやすいという問題があった。
【０００６】
本考案は、上記事情に鑑みてなされたものであり、購買者の目や手が行き届きやすくするために商品自体に取り付けることができるとともに、接着剤や止め具などを用いることなく、商品に対して容易に着脱可能であり、かつ、設置場所を取らないで済む広告宣伝媒体を提供することを目的とする。
【課題を解決するための手段】
【０００７】
かかる目的を達成するために、本考案の第１の広告宣伝媒体は、商品を包装した包装体に保持するための広告宣伝媒体であって、把持するために包装体に形成された穴部に係合する係合部を設け、係合部と穴部とが係合することにより、包装体に保持された状態となることを特徴とする。
【０００８】
本考案の第２の広告宣伝媒体は、本考案の第１の広告宣伝媒体において、折り目として機能する罫線又はミシン目線を少なくとも１以上設けたことを特徴とする。
【０００９】
本考案の第３の広告宣伝媒体は、本考案の第２の広告宣伝媒体において、折り目を補強するための補強部材を設けたことを特徴とする。
【００１０】
本考案の第４の広告宣伝媒体は、本考案の第１から第３のいずれか１つの広告宣伝媒体において、商品のサンプルを保持するサンプル保持部を設けたことを特徴とする。
【００１１】
本考案の第５の広告宣伝媒体は、本考案の第１から第４のいずれか１つの広告宣伝媒体において、係合部を２つ備え、２つの係合部は、それぞれの幅が３０ｍｍであり、かつ、それぞれの中心部の間が５０〜６０ｍｍ離れて並設されていることを特徴とする。
【００１２】
本考案の第６の広告宣伝媒体は、本考案の第１から第５のいずれか１つの広告宣伝媒体において、係合部は、三日月状の切り欠け部と、円弧状の舌片とからなることを特徴とする。
【００１３】
本考案の第７の広告宣伝媒体は、本考案の第４から第６のいずれか１つの広告宣伝媒体において、サンプル保持部は、鉤状の突起部を２つ備え、サンプルとしてロール状のペーパーを用いる場合、２つの鉤状の突起部を、ペーパーの芯の空洞部分に挿入することで保持することを特徴とする。
【考案の効果】
【００１４】
本考案によれば、商品自体に取り付けることで購買者の目や手が行き届きやすくなり、かつ、接着剤や止め具などを用いることなく、商品に対して容易に着脱可能であり、かつ、設置場所を取らないで済む。
【考案を実施するための最良の形態】
【００１５】
以下、本考案を実施するための最良の形態について添付図面を参照して詳細に説明する。
【００１６】
図１は、本考案の広告宣伝媒体の一実施形態を示す図であり、使用前（商品への取り付け前）の状態を示している。本考案の広告宣伝媒体は、例えば一枚の厚紙（台紙）で形成されており、図１（ａ）は、本考案の広告宣伝媒体の使用前における表面を示しており、図１（ｂ）は、本考案の広告宣伝媒体の使用前における裏面を示している。また、図３は、図１（ａ）を横にして示した図（正面図。「正面」は「表面」を意味する）であり、図４は、図１（ｂ）を横にして示した図（背面図。「背面」は「裏面」を意味する）である。図５は、図３の正面図の上方から見た平面図である。図６は、図３の正面図の右側から見た右側面図である。図７は、図３の正面図の左側から見た左測面図である。図８（ｂ）は、図８（ａ）の正面図におけるＡ−Ｂ−Ｃ−Ｄ線の組み合わせ断面図である。図９は、本物品（本考案の広告宣伝媒体）の使用状態を示す斜視図である。
なお、本明細書の説明において、「使用」とは、「本考案の広告宣伝媒体を商品に取り付けること」を意味するものとする。なお、本考案の広告宣伝媒体を形成する素材は、厚紙に限定されない。例えば、段ボール紙など、他の紙製でもよい。また、紙製ではなく、樹脂製や金属製でもよく、あるいは、紙製、樹脂製、金属製のいずれかの組み合わせであってもよい。
【００１７】
図１（ａ）において、本考案の広告宣伝媒体の表面は、使用時に商品に固定する部分として機能する固定部１と、使用時に商品を宣伝広告する部分として機能するディスプレイ部２とに分けられる。
【００１８】
固定部１は、罫線４より上部を指し、２つの係合部１５ａ、１５ｂが形成されている。２つの係合部１５ａ、１５ｂはそれぞれ、円弧状の舌片１１ａ、１１ｂ及び三日月状の切り欠け部１２ａ、１２ｂとからなる。使用時には、商品の包装に形成された、商品を持ち歩くときに掴むための取っ手部に形成された穴などに挿入されることにより、係合する。
また、２つの係合部１５ａ、１５ｂは、図１（ｂ）に示すように、それぞれの幅が約３０ｍｍであり、かつ、それぞれの中心部１６ａと１６ｂとの間が約５０〜６０ｍｍ離れて並設されている。
【００１９】
ディスプレイ部２は、罫線４より下部を指し、表示領域２１と、サンプル保持部２２とが形成されている。
【００２０】
表示領域２１は、商品の広告宣伝するための、文章、文字（記号・数字を含む）、絵、写真、図表などが印刷等により描画される部分である。
【００２１】
サンプル保持部２２は、広告宣伝する商品のサンプルを保持する部分である。なお、ここでは、広告宣伝する商品（及びサンプル）をトイレットペーパー（ロール状のもの）とするが、これに限定されない。また、ここでは、図１（ａ）に示すように、サンプル保持部２２として、トイレットペーパーの芯の空洞部に挿入するための２つの鉤状の突起部２２ａ、２２ｂが形成されているが、サンプル保持部２２の形状はこれに限定されない。
【００２２】
罫線３、４は、使用時に折り目となる。なお、ここでの説明では、２つの罫線３、４を設けるようにしたが、これは、上述した〈従来例２〉における図１１（ｂ）に示す使用方法も実現できるようにするためであるので、設ける罫線は１つだけでもよい。なお、設ける線種としては、罫線ではなくミシン目線であってもよいが、後述するように、折り目として頻繁に可動するので、強度の点では罫線が好ましい。
【００２３】
図１（ｂ）において、本考案の広告宣伝媒体の裏面には、罫線４に直交する位置に、補強部材１３が２つ設けられている。この補強部材１３は、ステンレスなどの素材（折り曲げ可能な素材であればよい）であり、接着剤等で裏面に接着されている。本考案の広告宣伝媒体は、使用時に、罫線４を折り曲げ、かつ、サンプル保持部２２にサンプルを取り付けて保持することになるが、使用時間が長くなると、購買者（消費者）によってサンプルが触られる機会が多くなり、折り目が多く可動するので、弱ってしまう。よって、折り目を補強するために、折り目となる罫線４に直交する位置に補強部材１３を取り付ける。なお、罫線３を折り目とする場合は、罫線３に直交する位置に補強部材１３を取り付けるようにする。また、補強部材１３を取り付ける位置、取り付ける補強部材１３の数、補強部材１３の素材・形状・サイズは、図１（ｂ）に示すものに限定されない。
【００２４】
また、図１（ｂ）に示す本考案の広告宣伝媒体の裏面において、ディスプレイ部２とほぼ同形状の補強部材２３を、ディスプレイ部２の裏面に貼り合わせるようにしてもよい。この補強部材２３は、厚紙などの素材であり、接着剤等で裏面に接着されている。このように補強部材２３を取り付ける理由は、サンプル保持部２２にサンプルを取り付けて長時間保持すると、サンプルの重みでサンプル保持部２２が弱ってしまうので、サンプル保持部２２を補強するためである。なお、補強部材２３を取り付ける位置、取り付ける補強部材２３の数、補強部材２３の素材・形状・サイズは、図１（ｂ）に示すものに限定されない。
【００２５】
なお、上述した〈従来例１〉における図１０（ｂ）に示す使用方法も実現できるようにするために、例えば、図１（ｂ）に示す固定部１の裏面において、固定部１の端から係合部１５ａ、１５ｂの端までの間（図中の１７）の領域に、図１０（ａ）に示す接着部材１４を設けるようにしてもよい。
【００２６】
以上のように構成された、本考案の広告宣伝媒体の使用時（商品への取り付け）について説明する。図２（ａ）は商品への取り付け前の状態を示しており、図２（ｂ）は商品への取り付け後の状態を示している。
【００２７】
図２（ａ）において、５０は、複数のトイレットペーパー（ロール状のもの）を積み重ねた状態で、透明なビニール等の包装部材で包装した包装体（商品）である。この包装体５０の頂上には、持ち歩くときに掴むための取っ手部（把持部、握り部）５１が形成されている。取っ手部５１には、持ち運び時に手や指を挿入して把持するための穴５１ａ、５１ｂが並列に形成されている。穴５１ａ、５１ｂの形状は円形や楕円形等であり、また、穴５１ａ、５１ｂの幅は約３０ｍｍであり、それぞれの中心部間の距離は約５０〜６０ｍｍである。
【００２８】
本考案の広告宣伝媒体を包装体５０に取り付ける場合、図２（ａ）に示すように、固定部１に形成された係合部１５ａ、１５ｂの舌片１１ａ、１１ｂをそれぞれ、取っ手部５１に形成された穴５１ａ、５１ｂに挿入する（図中の矢印参照）。
【００２９】
そして、図２（ｂ）に示すように、罫線４を折り目（山折り）として折り曲げ、また、ディスプレイ部２に形成されたサンプル保持部２２の鉤状の突起部２２ａ及び２２ｂを、サンプルとして展示するトイレットペーパー６０（１ロール）の芯の空洞部分に通し、トイレットペーパー６０をサンプル保持部２２に取り付ける。このように、トイレットペーパー６０がサンプル保持部２２に保持されると、トイレットペーパー６０及びディスプレイ部２の重みで、固定部１が矢印方向に引っ張られて、係合部１５ａ、１５ｂの舌片１１ａ、１１ｂがそれぞれ穴５１ａ、５１ｂに係合された状態となる。このようにして、図２（ｂ）及び図９に示すように、本考案の広告宣伝媒体が包装体５０に取り付けられた状態（商品に保持された状態）となる。
【００３０】
以上説明したように、本考案の広告宣伝媒体は、商品に対して容易に着脱可能である。よって、従来のように接着剤等を使用して商品に貼り付けたりする必要がないので、広告宣伝媒体を取り外す場合でも、商品に傷が付かないで済む。
【００３１】
また、本考案の広告宣伝媒体は、使用時には商品に保持された状態となる。よって、設置場所を取らないで済む。また、商品自体に保持されることで、購買者（消費者）の手や目が行き届きやすくなり、広告宣伝がより効果的となる。
【００３２】
以上、本考案の実施形態について説明したが、上記実施形態の記載に限定されるものではなく、その要旨を逸脱しない範囲において種々の変形が可能である。例えば、上記説明では、広告宣伝媒体を取り付ける包装体及びサンプルの例として、トイレットペーパーを例に説明したが、その他に、紙おむつ、ロール状のキッチンペーパー、タオルペーパーなども適用できる。また、本発明の広告宣伝媒体を使用できる例としては、ビニールパッケージの包装体だけではなく、紙製、樹脂製、金属製などの包装体にも適用できる。例えば、複数の飲料缶や飲料瓶をパッケージするためのマルチパック等の包装体にも適用できる。
【産業上の利用可能性】
【００３３】
本考案は、上述した商品を広告宣伝する用途の他に、物品の装飾などの用途にも適用できる。
【図面の簡単な説明】
【００３４】
【図１】（ａ）は、本考案の広告宣伝媒体の商品への取り付け前における表面を示す平面図であり、（ｂ）は、本考案の広告宣伝媒体の商品への取り付け前における裏面を示す平面図である。
【図２】（ａ）は、本考案の広告宣伝媒体の商品への取り付け前の状態を示す斜視図であり、（ｂ）は、本考案の広告宣伝媒体の商品への取り付け後の状態を示す斜視図である。
【図３】図１（ａ）を横にして示した正面図である。
【図４】図１（ｂ）を横にして示した背面図である。
【図５】図３の正面図の上方から見た平面図である。
【図６】図３の正面図の右側から見た右側面図である。
【図７】図３の正面図の左側から見た左測面図である。
【図８】（ｂ）は、（ａ）の正面図におけるＡ−Ｂ−Ｃ−Ｄ線の組み合わせ断面図である。
【図９】本考案の広告宣伝媒体の商品への取り付け後の状態（使用状態）を示す斜視図である。
【図１０】（ａ）は、従来例１の広告宣伝媒体の未使用時における裏面を示す平面図であり、（ｂ）は、従来例１の広告宣伝媒体を陳列棚へ取り付けた場合を示す斜視図である。
【図１１】（ａ）は、従来例２の広告宣伝媒体の未使用時における裏面を示す平面図であり、（ｂ）は、従来例２の広告宣伝媒体を陳列棚へ取り付けた場合を示す斜視図である。
【符号の説明】
【００３５】
１    固定部
２    ディスプレイ部
３、４    罫線
１１ａ、１１ｂ    円弧状の舌片
１２ａ、１２ｂ    三日月状の切り欠け部
１３    折り目用補強部材
１４    接着部材
１５ａ、１５ｂ    係合部
１６ａ、１６ｂ    中心部
１７    固定部１の端から係合部１５ａ、１５ｂの端までの領域
２１    表示領域
２２    サンプル保持部
２２ａ、２２ｂ    鉤状の突起部
２３    サンプル保持部用補強部材
５０    包装体
５１    取っ手部
５１ａ、５１ｂ    穴
６０    トイレットペーパー
９０    陳列棚
９１    ストッパ部材
【図１】
0003134951.tif 000003
【図２】
0003134951.tif 000004
【図３】
0003134951.tif 000005
【図４】
0003134951.tif 000006
【図５】
0003134951.tif 000007
【図６】
0003134951.tif 000008
【図７】
0003134951.tif 000009
【図８】
0003134951.tif 000010
【図９】
0003134951.tif 000011
【図１０】
0003134951.tif 000012
【図１１】
0003134951.tif 000013